(57)【特許請求の範囲】
【請求項１】
回転式アンテナによる合成開口を有するレーダシステム（ＲＯＳＡＲ）のための信号処理方法であって、レーダシステムがパルス周波数又はＦＭ−ＣＷ動作で使用され、又は疑似雑音信号を発信し、センチメートル波もしくはミリメートル波の波長範囲で働く、高精度の高度情報の入手を目的とする形式のものにおいて、ヘリコプターの胴体に固定され、テレスコープ式に伸長可能で大きな垂直寸法を有している１つの送信アンテナを介して、描出すべき周囲が多くの設定された仰角セクタ内で扇形に送信ビームの機械的又は電子的な旋回によって調査され、高さ方向に上下に重なる多くのセクタが描出されて評価されることを特徴とする、信号処理方法。
【請求項２】
伸長可能な送信アンテナが１つの長めの基本アンテナ列から成っており、基本アンテナ列の長さは幅に比して著しく大きく、１つの旋回可能なマルチビームアンテナ線図が得られるように位相制御されることを特徴とする、請求項１に記載の方法。
【請求項３】
ロータブレードの先端部の近くにトランスポンダカードが配置されており、このトランスポンダカードは反射された信号を受信し、変換し、不動の受信アンテナへ転送し、この場合、送受信信号はコヒーレントな同期化を受けることを特徴とする、請求項１又は２に記載の方法。
【請求項４】
高度情報がレーダ像に加工されることを特徴とする、請求項１乃至３のいずれかに記載の方法。
【発明の詳細な説明】
【０００１】
【発明の属する技術分野】
本発明は、特許請求の範囲の請求項１中の上位概念に示すＲＯＳＡＲシステムにおける信号処理方法に関する。
【０００２】
【従来の技術】
ドイツ国特許ＤＥ３９２２０８６号及びドイツ国特許ＤＥ４３２３５１１号によれば、リアルタイムに近いオンライン動作で使用可能で、地図作成、障害物警報及び地雷探知のためのみならず、目標探索、目標追跡及び飛行体誘導のためにも役立てられるＲＯＳＡＲシステムが知られている。このＲＯＳＡＲシステムはパルス周波数又はＦＭ−ＣＷ動作で使用され、センチメートル波もしくはミリメートル波の波長範囲で働く。本発明はこのような公知技術を基礎としている。
【０００３】
ＲＯＳＡＲは動作の点からは一種のサイドルッキングレーダであり、従って高度情報を得ることはない。ＲＯＳＡＲの一例は従来「ヘリレーダ」の名でヘリコプターのロータ軸上に付加的に組み付けられた十字形の回転ボスを基礎として実地に供されていた。従って、「粗い」精度であれ、高度情報を得ようとするためには、空力学的な飛行能力の低減と仰角解析との間の少なくとも１つの妥協を図るために、回転ボス上に高さ寸法のわずかな送受信アンテナが設置された。これによってたしかに回転ボスに起因する飛行能力の低減は明白なものの、全天候視界という付随するメリット故に専門家の見地からも許容することができた。
【０００４】
このようにして得られる粗い高度解析は、送受信アンテナの、仰角が仕切られたアンテナ特性によって与えられる。もちろんこうして得られる角度解析は垂直のアンテナ寸法の逆値に関連するので、回転ボスの先端部に飛行能力を低減させる「隆起部分」ができるのを甘受せざるを得ない。さらに、ヘリコプターの機体から回転ボスへ大きな電力を伝えるという問題が派生する。
【０００５】
以上のことから明らかなように、従来公知のＲＯＳＡＲにおける信号処理方法の場合、描出すべき周囲の高度情報は回転ボスの両端に組み込んだ垂直に重ねられた送受信アンテナによって得られている。この回転ボスはヘリコプターのロータと同期的に回転する。垂直に重ねられた送受信アンテナを一体的に組み込むことは相応の隆起部分を形成し、この隆起部分は前述したような飛行能力の低減につながる。加えて、ヘリコプターの機体から高周波送信エネルギーを回転中の回転ボスへ伝達する複雑な構成の回転ジョイントが必要となる。
【０００６】
【発明が解決しようとする課題】
本発明の課題は、ＲＯＳＡＲシステムにおいて、公知技術の前述の難点を大幅に減少させ、高次の高度解析を保証することである。
【０００７】
【課題を解決するための手段】
このような課題を本発明は請求項１に示す特徴事項による構成によって解決した。請求項２以降には本発明の実施の形態が示されている。
【０００８】
【発明の実施の形態】
次に、図面に示す実施の形態に従って本発明を詳述する。本発明の思想は大体において次の点にある、即ち、付加的な回転ボスを要することなく高精度の高度情報を入手するＲＯＳＡＲシステムを実現することを目的として、ヘリコプターの胴体の内部又は外部に固定されて、テレスコープ式に伸縮可能で高次の高度解析につながる大きな垂直寸法を有している１つの送信アンテナによって描出周囲を扇形に調査することによって（図２中のｎ＝１からｎ＝４まで参照）高度情報を得ようとする点にある。このようにして、高さ方向に上下に重なる多くのセクタが得られ、これらのセクタは公知のＲＯＳＡＲ信号処理方法に従って評価される。
【０００９】
ロッド状の送信アンテナ支持体は長めの基本アンテナ列を備えており、支持体自体の長さは幅に比して著しく大きい。扇形の調査は機械的又は電子的なビームの旋回によってなされる。電子的なビームの旋回の場合には基本アンテナのいずれもが位相をずらされ、その結果、１つの旋回可能なマルチビームアンテナ線図が得られる。ヘリコプターが地上で静止もしくは停止位置にある間は、このテレスコープアンテナが地面との接触が不可能な程度の長さに縮小された状態にされる。発進して一定の飛行高度に達した後に全アンテナ長に伸長される。
【００１０】
この送信アンテナは種々の高度セクタで（ｎ＝１からｎ＝４まで）広帯域信号を送信し、この信号の走向時間から周囲目標との距離が公知の形式で抽出される。この場合の広帯域信号は一般に短いパルスか又は長めの変調パルスである。例えばレーダ探知性を低減するためのような若干のケースにおいては効果的に疑似雑音信号が使用される。反射信号はヘリコプターのロータブレードの先端部の近くに固定されているトランスポンダカードによって受信され、変換され、不動の受信アンテナへ送信される。この場合、送受信過程に伴って送受信信号のコヒーレントな同期化の必要性が生ずる。横方向解析は冒頭に述べた公知のＲＯＳＡＲの技術におけるのと同様に実施される。
【００１１】
図２には高度解析の態様が示されている。公知のＲＯＳＡＲシステムをもってしては認識できない種々の強さで反射する多数の反射点を有する上り勾配の陸地が調査される。反射信号は公知技術のＲＯＳＡＲ法によれば単に１つのチャンネルで受信され、この場合、平坦な陸地が前提とされているので、反射点は一平面にあるものとして誤って解釈される。これに対して、本発明の方法は多数の高度チャンネル（例えばｎ＝１からｎ＝４まで）を共用でき、従って、種々の高さの反射点からの信号が種々のチャンネルで受信される。これは、送信アンテナが相次いで種々の伏角で現場を調査することによって行われる。種々の高度角と同期して受信信号が種々のチャンネル（ｎ＝１からｎ＝４まで）へ導かれる。各高度セクタ内の１つの反射信号の到達時点から公知の形式で距離Ｒが抽出される。
【００１２】
１つの反射点の高さｈRPn の算出は次の通りである。
【数１】
0003980354.tif 000002
反射点の所望の高さは次の通りである。
【数２】
0003980354.tif 000003
【００１３】
横方向及び高度方向で別々に得られたレーダ情報はＲＯＳＡＲプロセッサ内で処理され、古い横方向の距離情報と並んで今や新たに高度情報もレーダ像に加工される。これは、軍事的用途、特に目標探索及び飛行体誘導の場合に大きな意義を持つ。
【００１４】
高度方向の距離情報は実開口レーダの原理に従って公知の形式でキャッチされて処理される。個々の高度セクタ内の目標に関する付加的な高さ方向の距離情報は目標のシャドー距離から簡単な三角法を使って算出される。
【００１５】
このようにして、本発明によるＲＯＳＡＲ方法の実施に際しては回転ボスも回転ジョイントももはや必要でなく、特に良好な高度解析が達成され、付加的な隆起部分が形成されることがなくて飛行能力の空力学的な低減を甘受するような必要もなくなる。
【図面の簡単な説明】
【図１】本発明の実施の形態を示す概略図。
【図２】公知例と比較して本発明の方法の高度情報の入手の態様を示す図。
【図１】
0003980354.tif 000004
【図２】
0003980354.tif 000005